(57)【要約】【課題】シンプルな機構でパッケージの活線挿入を防止することができる画像処理装置を提供すること。【解決手段】プリンタは，動作モードとして，ＤＩＭＭソケットへの通電を継続するソケット使用モードと，ＤＩＭＭソケットへの通電を行わない通常モード（ソケット非使用モード）とを有している。そして，プリンタは，初期動作の際に，ＤＩＭＭの所定のアドレスにアクセスし，ＤＩＭＭソケットにＤＩＭＭが装着されているか否かを判断する。そして，ＤＩＭＭソケットにＤＩＭＭが装着されている場合にはソケット使用モードで動作し，ＤＩＭＭが装着されていない場合にはＤＩＭＭソケットへの通電を中止し，通常モードで動作する。【選択図】            図５
2010058312.tif 000002
【特許請求の範囲】
【請求項１】
画像処理装置の動作を制御する基板と，
パッケージを前記基板に装着させるソケット部と，
前記画像処理装置の初期動作の際にパッケージへのアクセス動作を行うことで前記ソケット部にパッケージが装着されているか否かを判断し，パッケージが装着されていると判断した場合には，前記ソケット部への通電を継続するソケット使用モードで動作し，パッケージが装着されていないと判断した場合には，前記ソケット部への通電を停止するソケット非使用モードで動作するように制御する制御手段とを備えることを特徴とする画像処理装置。
【請求項２】
請求項１に記載する画像処理装置において，
前記ソケット使用モードでの動作を指示する指示手段と，
前記指示手段にて前記ソケット使用モードでの動作が指示されたことをモードデータとして記憶する記憶手段とを備え，
前記制御手段は，パッケージの装着の判断前に前記モードデータの状態を判別し，前記モードデータに前記ソケット使用モードでの動作が指示されていた場合にはパッケージの装着の判断を行い，前記モードデータに前記ソケット使用モードでの動作が指示されていなかった場合には前記ソケット非使用モードで動作するように制御することを特徴とする画像処理装置。
【請求項３】
請求項２に記載する画像処理装置において，
前記指示手段にて前記ソケット使用モードでの動作が指示された場合に，前記画像処理装置の電源をオフにすることを報知する報知手段を備えることを特徴とする画像処理装置。
【請求項４】
請求項３に記載する画像処理装置において，
前記報知手段は，前記画像処理装置の電源をオフした後にパッケージを装着することを報知することを特徴とする画像処理装置。
【請求項５】
請求項１から請求項４のいずれか１つに記載する画像処理装置において，
ソケット使用モードもしくはソケット非使用モードのいずれで動作しているかを通知する通知手段を備えることを特徴とする画像処理装置。
【発明の詳細な説明】
【技術分野】
【０００１】
本発明は，装置本体のコネクタを通じてパッケージの着脱が可能な画像処理装置に関する。さらに詳細には，パッケージの活線挿入を防止し，パッケージを適切な手順で装着させる画像処理装置に関するものである。
【背景技術】
【０００２】
従来から，プリンタ，スキャナ，複合機等の画像処理装置では，装置本体のメイン基板に市販のパッケージ（例えば，ＤＩＭＭ等のメモリモジュール）を装着できる設計となっている。パッケージを装着する際，装置本体の電源がＯＮしたままでパッケージを斜めに挿入すると，パッケージのソケット部でショートが発生し，大電流が流れることがある。大電流が流れると，装置本体に装備された低圧電源がヒューズ溶断等によって故障し，電源が入らなくなる。
【０００３】
上記の活線挿入を防止する技術としては，例えば特許文献１に開示された活線挿抜防止装置がある。この活線挿抜装置では，コネクタ部に電力供給中はパッケージの装着および抜去を阻止するストッパ手段を設けている。
【特許文献１】特開２０００−１５１１５５号公報
【発明の開示】
【発明が解決しようとする課題】
【０００４】
しかしながら，前記した従来の画像処理装置には，次のような問題があった。すなわち，従来の画像処理装置では，パッケージの活線挿入を防止するために，ストッパ手段等の特別なメカ的な機構を設ける必要がある。そのため，部品点数の増加を招くとともに，装置本体が複雑化する。
【０００５】
本発明は，前記した従来の画像処理装置が有する問題点を解決するためになされたものである。すなわちその課題とするところは，シンプルな機構でパッケージの活線挿入を防止することができる画像処理装置を提供することにある。
【課題を解決するための手段】
【０００６】
この課題の解決を目的としてなされた画像処理装置は，画像処理装置の動作を制御する基板と，パッケージを基板に装着させるソケット部と，画像処理装置の初期動作の際にパッケージへのアクセス動作を行うことでソケット部にパッケージが装着されているか否かを判断し，パッケージが装着されていると判断した場合には，ソケット部への通電を継続するソケット使用モードで動作し，パッケージが装着されていないと判断した場合には，ソケット部への通電を停止するソケット非使用モードで動作するように制御する制御手段とを備えることを特徴としている。
【０００７】
本発明の画像処理装置は，動作モードとして，ソケット部への通電を継続するソケット使用モードと，ソケット部への通電を行わないソケット非使用モードとを有している。そして，本発明の画像処理装置は，画像処理装置の初期動作の際に，ソケット部にパッケージ（例えば，ＤＩＭＭ等のメモリモジュール）が装着されているか否かを判断する。パッケージの装着判断は，例えばパッケージの所定のメモリ領域にデータを書き込み，そのデータが正常に読み出せたか否かによって判断できる。そして，パッケージが装着されている場合にはソケット使用モードで動作し，パッケージが装着されていない場合にはソケット非使用モードで動作する。
【０００８】
すなわち，本発明の画像処理装置では，初期動作時のパッケージの有無の判断でパッケージが装着されていると判断しなければ，ソケット部への通電を停止し，その後はソケット非使用モードで動作する。これにより，パッケージの活線挿入を回避できる。そしてその結果として，ソケット部でのショートが抑制され，電源の故障を回避できる。また，本発明の画像処理装置は，制御手段（ソフト）でソケット部への通電を管理しており，特別なメカ的な手段を必要としない。よって，構成はシンプルである。
【０００９】
また，本発明の画像処理装置は，ソケット使用モードでの動作を指示する指示手段と，指示手段にてソケット使用モードでの動作が指示されたことをモードデータとして記憶する記憶手段とを備え，制御手段は，パッケージの装着の判断前にモードデータの状態を判別し，モードデータにソケット使用モードでの動作が指示されていた場合にはパッケージの装着の判断を行い，モードデータにソケット使用モードでの動作が指示されていなかった場合にはソケット非使用モードで動作するように制御するとよりよい。
【００１０】
すなわち，上記の画像処理装置では，ソケット使用モードへの移行が指示され，指示されたことがモードデータとして記憶される。制御手段は，画像処理装置の初期動作時に，そのモードデータの状態を判別した上で，ソケット使用モードへの移行が指示されいれば，ソケット使用モードで動作するか否かを判断する。つまり，ソケット使用モードへの移行は，指示手段によって指示がなければパッケージ装着の判断は行わない。さらに，パッケージ装着の判断は初期動作時でなければ，すなわち再起動しなければ行わない。このことから，適切な手順でのパッケージ装着がより期待できる。また，ソケット使用モードへの移行指示がなければ，初期動作中であってもソケット部への通電は行われない。そのため，画像処理装置の初期動作中の活線挿入をも回避することが期待できる。
【００１１】
また，本発明の画像処理装置は，指示手段にてソケット使用モードでの動作が指示された場合に，画像処理装置の電源をオフにすることを報知する報知手段を備えるとよりよい。すなわち，ソケット使用モードでの動作を指示したユーザに対して電源オフを報知することで，電源オフ状態でのパッケージの挿入がより期待できる。
【００１２】
また，上記の画像処理装置の報知手段は，画像処理装置の電源をオフした後にパッケージを装着することを報知するとよりよい。すなわち，電源オフ後でのパッケージ装着を報知することで，より確実に電源オフ状態でのパッケージの挿入が期待できる。
【００１３】
また，本発明の画像処理装置は，ソケット使用モードもしくはソケット非使用モードのいずれで動作しているかを通知する通知手段を備えるとよりよい。すなわち，本発明の画像処理装置は，ソケット非使用モード時にパッケージが装着されたとしてもパッケージは使用できない。そのため，ユーザが困惑することも考えられる。そこで，ソケット使用モードもしくはソケット非使用モードのいずれで動作しているかを通知することで，パッケージを使用しているか否かをユーザが認識することができ，上記の困惑を回避できる。
【発明の効果】
【００１４】
本発明によれば，シンプルな機構でパッケージの活線挿入を防止することができる画像処理装置が実現している。
【発明を実施するための最良の形態】
【００１５】
以下，本発明にかかる印刷装置を具体化した実施の形態について，添付図面を参照しつつ詳細に説明する。本形態は，メモリモジュールの着脱が可能な電子写真方式のプリンタに本発明を適用したものである。
【００１６】
［第１の形態］
［プリンタの全体構成］
本形態のプリンタ１００（画像処理装置の一例）は，図１に示すように，用紙に画像を印刷する画像形成部１０と，原稿の画像を読み取るスキャナ部２０とを備えている。また，スキャナ部２０の前面側には，液晶ディスプレイからなる表示部４１と，スタートキー，ストップキー，テンキー等から構成されるボタン群４２とを備えた操作パネル４０が設けられ，この操作パネル４０により動作状況の表示やユーザによる入力操作が可能になっている。
【００１７】
また，本形態のプリンタ１００は，本体カバー６０側面の一部に，本体カバー６０から取り外し可能に設けられたサイドカバー６１を備えている。サイドカバー６１は，本体カバー６０内であって，プリンタ１００本体に設置されたメイン基板３０（基板の一例）の近傍に配置されている。メイン基板３０は，ＣＰＵ，ＲＯＭ，ＲＡＭ等を装着し，画像処理動作を制御する基板である。サイドカバー６１を取り外すと，図２に示すように，メイン基板３０が露出する。
【００１８】
また，メイン基板３０は，図２に示したように，メモリモジュール３６（パッケージの一例。本形態では，ＤＩＭＭとする。以下，「ＤＩＭＭ３６」とする）を装着するためのソケット３５（ソケット部の一例。以下，「ＤＩＭＭソケット３５」とする）を有している。ユーザは，ＤＩＭＭ３６を装着する際，サイドカバー６１を取り外し，ＤＩＭＭ３６をＤＩＭＭソケット３５に挿入する。
【００１９】
［プリンタの画像形成部の構成］
画像形成部１０は，周知の電子写真方式によって画像を形成するものであり，図３に示すように，画像を形成するプロセス部５０と，未定着のトナー像を定着させる定着装置８と，画像形成前の用紙を載置する給紙カセット９０，９１と，画像形成後の用紙を載置する排紙トレイ９２とを備えている。
【００２０】
画像形成部１０内には，底部に位置する給紙カセット９０ないし給紙カセット９１に収容された用紙が，給紙ローラ７２ないし給紙ローラ７３，プロセス部５０，定着装置８を通り，排紙ローラ７４を介して上部の排紙トレイ９２への導かれるように，略Ｓ字形状の搬送経路７１が設けられている。すなわち，画像形成部１０は，給紙カセット９０ないし給紙カセット９１に載置されている用紙を１枚ずつ取り出し，その用紙をプロセス部５０に搬送し，プロセス部５０にて形成されたトナー像をその用紙に転写する。さらに，トナー像が転写された用紙を定着装置８に搬送し，トナー像をその用紙に熱定着させる。そして，定着後の用紙を排紙トレイ９２に排出する。
【００２１】
プロセス部５０は，感光体ドラム１と，感光体ドラム１の表面を一様に帯電する帯電装置２と，感光体ドラム１の表面に光を照射して静電潜像を形成する露光装置３と，トナーを収容するとともに静電潜像に対してトナーによる現像を行う現像装置４と，感光体ドラム１上のトナー像を用紙に転写させる転写装置５と，感光体ドラム１上の残留トナーを除去するクリーニングブレード６とを有している。感光体ドラム１，帯電装置２，現像装置４，およびクリーニングブレード６は，プロセスカートリッジとして構成され，装置本体に対して着脱可能になっている。
【００２２】
プロセス部５０では，感光体ドラム１の表面が帯電装置２によって一様に帯電される。その後，露光装置３からの光により露光され，用紙に形成すべき画像の静電潜像が形成される。次いで，現像装置４を介して，トナーが感光体ドラム１に供給される。これにより，感光体ドラム１上の静電潜像は，トナー像として可視像化される。このようなプロセス部５０の動作は，メイン基板３０によって制御される。
【００２３】
［プリンタの電気的構成］
続いて，プリンタ１００の電気的構成について説明する。プリンタ１００は，図４に示すように，ＣＰＵ３１と，ＲＯＭ３２と，ＲＡＭ３３と，ＮＶＲＡＭ（不揮発性ＲＡＭ）３４と，ＤＩＭＭソケット３５とを備えたメイン基板３０を有している。メイン基板３０は，プロセス部５０，スキャナ部２０，操作パネル４０，低圧電源８０等と電気的に接続されている。また，メイン基板３０は，ＤＩＭＭ３６が装着されている場合には，ＤＩＭＭソケット３５を介してＤＩＭＭ３６を利用することができる。
【００２４】
ＲＯＭ３２には，プリンタ１００を制御するための各種制御プログラムや各種設定，初期値等が記憶されている。ＲＡＭ３３は，各種制御プログラムが読み出される作業領域として，あるいは画像データを一時的に記憶する記憶領域として利用される。
【００２５】
ＣＰＵ３１は，ＲＯＭ３２から読み出した制御プログラムに従って，その処理結果をＲＡＭ３３，ＮＶＲＡＭ３４あるいはＤＩＭＭ３６に記憶させながら，プリンタ１００の各構成要素（例えば，搬送路７１を構成する各種ローラの駆動モータ（不図示）やスキャナ部２０を構成するイメージセンサユニットの移動用モータ（不図示））を制御する。
【００２６】
［プリンタの動作］
続いて，本形態のプリンタ１００の動作について，活線挿入防止手順を主眼に置いて説明する。
【００２７】
プリンタ１００は，動作モードとして，ＤＩＭＭソケット３５に通電を行わない，すなわちＤＩＭＭ３６を使用しない「通常モード」（ソケット非使用モードの一例）と，ＤＩＭＭソケット３５に通電を行ってＤＩＭＭ３６を使用する「ＤＩＭＭ使用モード」（ソケット使用モードの一例）とを有している。そして，プリンタ１００は，起動時に実行されるモード決定処理により，いずれの動作モードで動作するかを決定する。
【００２８】
［モード決定処理］
以下，プリンタ１００の起動時におけるモード決定処理（制御手段，通知手段の一例）について，図５のフローチャートを参照しつつ説明する。本処理は，プリンタ１００の起動時に実行されるイニシャル処理の１つとして実行される。
【００２９】
まず，ＤＩＭＭソケット３５への通電を開始する（Ｓ１０１）。次に，ＤＩＭＭ３６が装着されているか否かをプログラムで判断する（Ｓ１０２）。例えば，ＤＩＭＭ３６の所定のアドレスに対してアクセスし，所定のデータの読み書きを行い，正常応答であればＤＩＭＭ３６が装着されていると判断する。
【００３０】
ＤＩＭＭ３６が装着されていれば（Ｓ１０２：ＹＥＳ），ＤＩＭＭ使用モードに決定し，ＤＩＭＭソケット３５への通電を継続する（Ｓ１０３）。これにより，ＤＩＭＭ３６を使用可能になる。そして，ＤＩＭＭ使用モードで動作していることを表示部４１に表示する（Ｓ１０４，通知手段の一例）。例えば，図６に示す表示画面のように，ＤＩＭＭ使用モードであることおよびＤＩＭＭ３６が正常動作中であることを表示する。これにより，ユーザがＤＩＭＭ使用モードでの動作を認識できる。その後，本処理を終了する。
【００３１】
ＤＩＭＭ３６が装着されていなければ（Ｓ１０２：ＮＯ），通常モードに決定する（Ｓ１１１）。そして，ＤＩＭＭソケット３５への通電を中止し（Ｓ１１２），通常モードで動作していることを表示部４１に表示する（Ｓ１１２，通知手段の一例）。例えば，図７に示す表示画面のように，通常モードであることとＤＩＭＭ３６が未装着であることを表示する。これにより，ユーザが通常モードでの動作を認識できる。その後，本処理を終了する。
【００３２】
以上詳細に説明したように本形態のプリンタ１００は，動作モードとして，ＤＩＭＭソケット３５への通電を継続するソケット使用モードと，ＤＩＭＭソケット３５への通電を行わない通常モード（ソケット非使用モード）とを有している。そして，プリンタ１００は，初期動作の際に，ＤＩＭＭソケット３５にＤＩＭＭ３６が装着されているか否かを判断している。そして，ＤＩＭＭソケット３５にＤＩＭＭ３６が装着されている場合にはソケット使用モードで動作し，ＤＩＭＭ３６が装着されていない場合には通常モードで動作している。
【００３３】
すなわち，プリンタ１００では，初期動作時のＤＩＭＭ３６の有無の判断でＤＩＭＭ３６の装着が確認されなければ，ＤＩＭＭソケット３５への通電を停止し，その後は通常モードで動作している。これにより，プリンタ１００の動作中にＤＩＭＭ３６を挿入したとしても活線挿入にはならない。そしてその結果として，ＤＩＭＭソケット３５でのショートが抑制され，低圧電源８０等の故障を回避できる。また，プリンタ１００は，メイン基板３０に記憶されているプログラム（ソフト）によってＤＩＭＭソケット３５への通電を管理しており，特別なメカ的な手段を必要としない。よって，構成はシンプルである。
【００３４】
［第２の形態］
続いて，活線挿入防止手順の第２の形態について説明する。本形態のプリンタは，第１の形態と同様に，動作モードとして，「通常モード」と，「ＤＩＭＭ使用モード」とを有している。そして，動作モードの選択を，ユーザが操作パネル４０を操作することによって行う。この点，第１の形態と異なる。なお，本形態のプリンタのハード構成については，第１の形態と同様であるため説明を省略する。
【００３５】
本形態のプリンタは，出荷段階では，通常モードで動作するように設定されている。そして，本形態のプリンタにてＤＩＭＭ３６を使用する際には，操作パネル４０でのＤＩＭＭ使用モードの選択を必要とする。つまり，本形態のプリンタは，ＤＩＭＭ３６がＤＩＭＭソケット３５に装着されていたとしても，ＤＩＭＭ使用モードがあらかじめ選択されていなければ，ＤＩＭＭ３６を使用できないようになっている。
【００３６】
［モード変更処理］
始めに，通常モードからＤＩＭＭ使用モードへ移行するためのモード変更処理（指示手段，報知手段，記憶手段の一例）について，図８のフローチャートを参照しつつ説明する。本処理は，通常モード下で動作する処理であり，ＤＩＭＭソケット３５への通電は行われていない。
【００３７】
本処理では，まず，ＤＩＭＭ使用モードへの移行指示を受け付ける（Ｓ２０１，指示手段の一例）。例えば，図９に示すような選択画面を表示部４１に表示し，ユーザにＤＩＭＭ使用モードへの移行を行うか否かを選択させる。そして，ユーザによるボタン押下を受け付ける。そして，プリンタ１００は，ＤＩＭＭ使用モードへの移行が選択されたか否かを判断する（Ｓ２０２）。ＤＩＭＭ使用モードへの移行が指示されなかった場合には（Ｓ２０２：ＮＯ），本処理を終了する。
【００３８】
ＤＩＭＭ使用モードへの移行が指示された場合には（Ｓ２０２：ＹＥＳ），ＮＶＲＡＭ３４に記憶されているＤＩＭＭ使用フラグ（モードデータの一例）をオンにする（Ｓ２０３，記憶手段の一例）。その後，表示部４２に，プリンタ１００の主電源をオフするメッセージを表示する（Ｓ２０４，報知手段の一例）。例えば，図１０に示すように「プリンタ１００の主電源をオフする」こと，さらに「主電源をオフした後にＤＩＭＭ３６をＤＩＭＭソケット３５に挿入する」こと，さらに「ＤＩＭＭ３６の装着後に主電源をオンする」ことのメッセージを表示する。その後，本処理が終了する。
【００３９】
なお，動作モードとして，再起動しない限り操作を継続できなくなる電源オフモードを設け，ＤＩＭＭ使用モードへの移行が選択された場合には強制的に電源オフモードに移行するとしてもよい。また，Ｓ２０４にてメッセージを数秒間表示した後に，自動的に電源オフしてもよい。
【００４０】
本処理は，あくまでも通常モードでの動作であり，ＤＩＭＭ使用モードへの移行が選択されたとしても，ＤＩＭＭソケット３５への通電はまだ行われない。そのため，ユーザがＤＩＭＭ使用モードへの移行を選択する前にＤＩＭＭ３６を装着したとしても，さらにはユーザがＤＩＭＭ使用モードへの移行を選択した直後であって主電源をオフする前にＤＩＭＭ３６を装着したとしても，いずれも活線挿入にはならない。また，ＤＩＭＭ使用モードでの動作を指示したユーザに対し，電源オフ状態でのＤＩＭＭ装着を推奨することで，電源オフ状態でのパッケージの挿入作業が期待できる。
【００４１】
［モード決定処理］
続いて，本形態のプリンタの起動時における動作モードの決定処理（制御手段，通知手段の一例）について，図１１のフローチャートを参照しつつ説明する。なお，図５の第１の形態と同様の処理については，同様のステップ番号を付して説明を省略する。
【００４２】
まず，ＤＩＭＭ使用フラグがオンしているか否かを判断する（Ｓ１２１）。ＤＩＭＭ使用フラグはＮＶＲＡＭ３４に記憶されており，主電源をオフしたとしてもデータは保持されている。ＤＩＭＭ使用フラグがオフであれば（Ｓ１２１：ＮＯ），通常モードが選択されていると判断でき，通常モードに決定する（Ｓ１１１）。
【００４３】
ＤＩＭＭ使用フラグがオンであれば（Ｓ１２１：ＹＥＳ），ＤＩＭＭ使用モードが選択されていると判断できる。そこで，ＤＩＭＭソケット３５への通電を開始し（Ｓ１０１），ＤＩＭＭ３６が装着されているか否かを判断する（Ｓ１０２）。
【００４４】
ＤＩＭＭ３６が装着されていれば（Ｓ１０２：ＹＥＳ），ＤＩＭＭ使用モードに決定し，ＤＩＭＭソケット３５への通電を継続する（Ｓ１０３）。そして，ＤＩＭＭ使用モードで動作していることを表示部４１に表示する（Ｓ１０４，通知手段の一例）。
【００４５】
ＤＩＭＭ３６が装着されていなければ（Ｓ１０２：ＮＯ），通常モードに決定する（Ｓ１１１）。そして，ＤＩＭＭソケット３５への通電を中止し（Ｓ１１２），通常モードで動作していることを表示部４１に表示する（Ｓ１１３，通知手段の一例）。これにより，ユーザが通常モードでの動作を認識できる。例えば，ＤＩＭＭ使用モードを選択したユーザであっても，ＤＩＭＭ３６を装着せずに再起動した場合や，あるいはＤＩＭＭ３６が不良品であった場合に，ＤＩＭＭ使用モードで動作していないことを認識できる。また，ＤＩＭＭ使用モードの選択手順を知らずに，ＤＩＭＭ３６の挿入によってＤＩＭＭ３６が使用できると誤認しているユーザに対しても，通常モードであることを通知することで，ＤＩＭＭ使用モードが未設定であることについて気付かせることが期待できる。その後，ＤＩＭＭ使用フラグをオフにし（Ｓ１３１），本処理を終了する。
【００４６】
以上詳細に説明したように本形態のプリンタでは，ＤＩＭＭ使用モードへの移行が指示され，指示されたことがＤＩＭＭ使用フラグに記憶される。そして，プリンタの初期動作時に，そのＤＩＭＭ使用フラグの状態を判別した上で，ＤＩＭＭ使用モードへの移行が指示されいれば，ＤＩＭＭ使用モードで動作するか否かを判断する。つまり，ＤＩＭＭ使用フラグがオン，すなわちＤＩＭＭ使用モードへの移行指示がなければ，ＤＩＭＭ３６の装着判断は行わない。さらに，ＤＩＭＭ３６の装着判断は初期動作時でなければ，すなわち再起動しなければ行わない。また，ＤＩＭＭ使用モードへの移行指示後に主電源のオフ等の手順をメッセージ表示している。これにより，適切な手順による，ＤＩＭＭ３６の挿入が期待できる。
【００４７】
また，本形態のプリンタは，ＤＩＭＭ使用フラグがオンであった場合に，ＤＩＭＭソケット３５への通電を開始する。つまり，ユーザがＤＩＭＭ使用モードへの移行指示なしにただＤＩＭＭ３６をＤＩＭＭソケット３５に装着しただけでは，ＤＩＭＭソケット３５への通電は行われない。そのため，ＤＩＭＭ使用モードの選択手順を知らずに初期動作中にＤＩＭＭ３６を挿入したとしても活線挿入にはならない。つまり，プリンタの初期動作中の活線挿入をも回避することが期待できる。
【００４８】
また，本形態のプリンタは，通常モード時にＤＩＭＭ３６が装着されたとしてもＤＩＭＭ３６は使用できない。そのため，ユーザが困惑することも考えられる。そこで，ＤＩＭＭ使用モードもしくは通常モードのいずれで動作しているかを通知することで，ＤＩＭＭ３６を使用しているか否かをユーザが認識することができ，上記の困惑を回避できる。
【００４９】
なお，本実施の形態は単なる例示にすぎず，本発明を何ら限定するものではない。したがって本発明は当然に，その要旨を逸脱しない範囲内で種々の改良，変形が可能である。例えば，画像処理装置としては，プリンタ，複写機，スキャナ，ＦＡＸ等，画像を処理するものであれば適用可能である。また，画像形成部の画像形成方式は，電子写真方式に限らず，インクジェット方式であってもよい。また，カラー画像の形成が可能であっても，モノクロ画像専用であってもよい。
【００５０】
また，メイン基板３０に装着されるメモリモジュールは，ＤＩＭＭに限るものではない。例えば，ＳＩＭＭであってもよい。さらに，メイン基板３０に装着されるパッケージはメモリモジュールに限るものではない。例えば，ビデオモジュールやネットワークモジュールであってもよい。
【００５１】
また，メイン基板３０が備えるソケット（コネクタ）は１つに限るものではなく，複数あってもよい。その場合，ソケットごとに動作モードを設定し，ソケットごとにパッケージの装着の有無を判断する。
【図面の簡単な説明】
【００５２】
【図１】実施の形態にかかるプリンタの概略構成を示す斜視図である。
【図２】ソケットカバーを取り外した状態の概要を示す図である。
【図３】プリンタの画像形成部の概略構成を示す概念図である。
【図４】プリンタの電気的構成を示すブロック図である。
【図５】第１の形態にかかる装置起動時におけるモード決定手順を示すフローチャートである。
【図６】ＤＩＭＭ使用モードで動作していることを通知する通知画面の一例を示す図である。
【図７】通常モードで動作していることを通知する通知画面の一例を示す図である。
【図８】第２の形態にかかる通常モード時におけるＤＩＭＭ使用モードへの変更手順を示すフローチャートである。
【図９】ＤＩＭＭ使用モードの選択画面の一例を示す図である。
【図１０】装置の電源オフを促す報知画面の一例を示す図である。
【図１１】第２の形態にかかる装置起動時におけるモード決定手順を示すフローチャートである。
【符号の説明】
【００５３】
３０    メイン基板
３１    ＣＰＵ
３２    ＲＯＭ
３３    ＲＡＭ
３４    ＮＶＲＡＭ
３５    ＤＩＭＭソケット
３６    ＤＩＭＭ
４１    表示部
５０    プロセス部
８０    低圧電源
１００  プリンタ
【図１】
2010058312.tif 000003
【図２】
2010058312.tif 000004
【図３】
2010058312.tif 000005
【図４】
2010058312.tif 000006
【図５】
2010058312.tif 000007
【図６】
2010058312.tif 000008
【図７】
2010058312.tif 000009
【図８】
2010058312.tif 000010
【図９】
2010058312.tif 000011
【図１０】
2010058312.tif 000012
【図１１】
2010058312.tif 000013